(57)【要約】【課題】  蓄熱用熱交換器における温度効率を向上させることができる空気調和装置を提供する。【解決手段】  空気調和装置１は、室外熱交換器３１２と、室内熱交換器３７１と、蓄熱用熱交換器４２と、蓄熱・放熱切換機構３１４，ＥＶ２，ＯＣ１，ＯＣ２と、冷媒方向制御機構とを有する冷媒回路を備える。蓄熱用熱交換器４２は、蓄熱材４４と熱交換を行う。蓄熱・放熱切換機構３１４，ＥＶ２，ＯＣ１，ＯＣ２は、蓄熱状態と放熱状態とを切換可能である。蓄熱状態とは、蓄熱用熱交換器４２を凝縮器として機能させ、室外熱交換器３１２を蒸発器として機能させる状態である。放熱状態とは、室内熱交換器３７１および室外熱交換器３１２の少なくともいずれかを凝縮器として機能させ、蓄熱用熱交換器４２を蒸発器として機能させる状態である。そして、冷媒方向制御機構４３は、蓄熱状態における蓄熱用熱交換器４２内の冷媒の流れ方向と、放熱状態における蓄熱用熱交換器４２内の冷媒の流れ方向とが同じ方向となるように冷媒の流れを制御する。【選択図】      図１
2005337667.tif 000002
【特許請求の範囲】
【請求項１】
熱源側熱交換器（３１２）と、
利用側熱交換器（３７１）と、
蓄熱材（４４，４８）と熱交換を行う蓄熱用熱交換器（４２，５０）と、
前記蓄熱用熱交換器（４２，５０）を凝縮器として機能させ前記熱源側熱交換器（３１２）を蒸発器として機能させる蓄熱状態と、前記利用側熱交換器（３７１）および前記熱源側熱交換器（３１２）の少なくともいずれかを凝縮器として機能させ前記蓄熱用熱交換器（４２，５０）を蒸発器として機能させる放熱状態とを切換可能である蓄熱・放熱切換機構（３１４，ＥＶ２，ＯＣ１，ＯＣ２）と、
前記蓄熱状態における前記蓄熱用熱交換器（４２，５０）内の冷媒の流れ方向と、前記放熱状態における前記蓄熱用熱交換器（４２，５０）内の冷媒の流れ方向とが同じ方向となるように前記冷媒の流れを制御する冷媒方向制御機構（４３，４６）と、
を有する冷媒回路を備える空気調和装置（１−３）。
【請求項２】
前記冷媒方向制御機構（４３）は、前記蓄熱状態における冷媒の流れと前記放熱状態における冷媒の流れとを切り換える四路切換弁（４５）を有する、
請求項１に記載の空気調和装置（１，３）。
【請求項３】
前記冷媒方向制御機構（４６）は、複数の逆止弁（４７ａ−４７ｄ）が組み合わされ前記蓄熱状態における前記冷媒の流れと前記放熱状態における前記冷媒の流れとを切り換えるブリッジ回路（４７）を有する、
請求項１に記載の空気調和装置（２）。
【請求項４】
前記蓄熱材（４８）は、第１蓄熱材（４８ａ）と、前記第１蓄熱材（４８ａ）よりも融点の低い第２蓄熱材（４８ｂ）とを有し、
前記蓄熱用熱交換器（５０）は、前記第１蓄熱材（４８ａ）と熱交換を行う第１熱交換部（５０ａ）と、前記第２蓄熱材（４８ｂ）と熱交換を行う第２熱交換部（５０ｂ）とを有し、
前記冷媒方向制御機構（４３）は、前記蓄熱状態と前記放熱状態との両方において前記冷媒が前記第１熱交換部（５０ａ）を流れた後に前記第２熱交換部（５０ｂ）を流れるように前記冷媒の流れを制御する、
請求項１から３のいずれかに記載の空気調和装置（３）。
【発明の詳細な説明】
【技術分野】
【０００１】
本発明は、空気調和装置、特に蓄熱型の空気調和装置に関する。
【背景技術】
【０００２】
従来、蓄熱材に蓄熱を行う蓄熱状態と、蓄熱された熱を取り出して室内の暖房運転や熱源側熱交換器のデフロスト運転に利用する放熱運転とを切り換えて行うことができる蓄熱型の空気調和装置が利用されている。
このような空気調和装置は、例えば、熱源側熱交換器、利用側熱交換器、蓄熱量熱交換器、膨張機構、切換機構などを有する冷媒回路を備えており、冷媒回路における冷媒の流れが切換機構によって切り換えられることによって蓄熱状態と放熱状態とが切り換えられる（特許文献１参照）。蓄熱状態においては、圧縮機から吐出した冷媒が蓄熱用熱交換器を流れて蓄熱材が加熱される。これにより、蓄熱材への蓄熱が行われる。蓄熱用熱交換器を流れた冷媒は利用側熱交換器に流れ、室内等の暖房が行われる。利用側熱交換器において凝縮した冷媒は、膨張機構によって減圧され、熱源側熱交換器へと流れて蒸発する。その後、冷媒は圧縮機へと戻り、この循環が繰り返されることによって、室内の暖房と蓄熱材への蓄熱とが行われる。また、放熱状態においては、切換機構によって冷媒の流れが逆方向に切り換えられる。すなわち、圧縮機から吐出した冷媒が熱源側熱交換器へと流れ、高温の冷媒によって熱源側熱交換器に付着した霜が融解される。熱源側熱交換器において凝縮した冷媒は、膨張弁によって減圧され、利用側熱交換器へと流れる。利用側熱交換器を通った冷媒は、蓄熱状態とは逆方向に蓄熱用熱交換器を流れて蓄熱材の蓄熱によって加熱される。これにより、蓄熱材からの放熱が行われ蓄熱された熱が取り出される。その後、冷媒は圧縮機へと戻り、この循環が繰り返されることによって熱源側熱交換器のデフロストが行われる。
【特許文献１】特開２００４−８５０４７号公報（〔００５７〕−〔００６０〕および〔００７０〕−〔００７３〕）
【発明の開示】
【発明が解決しようとする課題】
【０００３】
上記のように冷媒を媒体として蓄熱材と熱交換を行う空気調和装置においては、蓄熱状態の蓄熱用熱交換器に、高温域と低温域とに分かれた温度分布が生じ易い。すなわち、冷媒が過熱ガスとなっている高温域と、飽和液となっている低温域とが生じ、温度分布の温度差が大きくなる。このため、蓄熱材において蓄熱ムラが生じ易い。そして、このように蓄熱ムラが生じている場合に、放熱状態において冷媒が蓄熱状態とは逆方向に蓄熱用熱交換器を流れると、蓄熱用熱交換器を流れる冷媒は蓄熱材の温度分布に対して対向流となり、温度効率が低下する恐れがある。
【０００４】
本発明の課題は、蓄熱用熱交換器における温度効率を向上させることができる空気調和装置を提供することにある。
【課題を解決するための手段】
【０００５】
第１発明に係る空気調和装置は、熱源側熱交換器と、利用側熱交換器と、蓄熱用熱交換器と、蓄熱・放熱切換機構と、冷媒方向制御機構とを有する冷媒回路を備える。蓄熱用熱交換器は、蓄熱材と熱交換を行う。蓄熱・放熱切換機構は、蓄熱状態と放熱状態とを切換可能である。蓄熱状態とは、蓄熱用熱交換器を凝縮器として機能させ、熱源側熱交換器を蒸発器として機能させる状態である。放熱状態とは、利用側熱交換器および熱源側熱交換器の少なくともいずれかを凝縮器として機能させ、蓄熱用熱交換器を蒸発器として機能させる状態である。そして、冷媒方向制御機構は、蓄熱状態における蓄熱用熱交換器内の冷媒の流れ方向と、放熱状態における蓄熱用熱交換器内の冷媒の流れ方向とが同じ方向となるように冷媒の流れを制御する。
【０００６】
この空気調和装置では、冷媒方向制御機構によって、冷媒が蓄熱状態と放熱状態とで蓄熱用熱交換器内を同じ方向に流れる。従って、まず、蓄熱状態において、蓄熱用熱交換器の高温域によって蓄熱が行われた高蓄熱側と、蓄熱用熱交換器の低温域によって蓄熱が行われた低蓄熱側とに分かれて蓄熱ムラが蓄熱材に生じる。そして、放熱状態においては、蓄熱状態の冷媒の流れ方向と同じ方向に冷媒が蓄熱用熱交換器を流れるため、冷媒は、蓄熱材の高蓄熱側から低蓄熱側へと流れる。これにより、この空気調和装置では、放熱時において冷媒をより高温に加熱することができ、蓄熱用熱交換器における温度効率を向上させることができる。
【０００７】
第２発明に係る空気調和装置は、第１発明の空気調和装置であって、冷媒方向制御機構は四路切換弁を有する。四路切換弁は、蓄熱状態における冷媒の流れと、放熱状態における冷媒の流れとを切り換える。
この空気調和装置では、四路切換弁によって、蓄熱状態における蓄熱用熱交換器内の冷媒の流れ方向と、放熱状態における蓄熱用熱交換器内の冷媒の流れ方向とが同じ方向となるように冷媒の流れを切り換えることができる。これにより、この空気調和装置では、簡易な構成で、冷媒の流れを制御することができる。
【０００８】
第３発明に係る空気調和装置は、第１発明の空気調和装置であって、冷媒方向制御機構は、複数の逆止弁が組み合わされたブリッジ回路を有する。ブリッジ回路は、蓄熱状態における冷媒の流れと、放熱状態における冷媒の流れとを切り換える。
この空気調和装置では、ブリッジ回路によって、蓄熱状態における蓄熱用熱交換器内の冷媒の流れ方向と、放熱状態における蓄熱用熱交換器内の冷媒の流れ方向とが同じ方向となるように冷媒の流れを切り換えることができる。これにより、この空気調和装置では、簡易な構成で、冷媒の流れを制御することができる。
【０００９】
第４発明に係る空気調和装置は、第１発明から第３発明のいずれかに記載の空気調和装置であって、蓄熱材は、第１蓄熱材と、第１蓄熱材よりも融点の低い第２蓄熱材とを有する。また、蓄熱用熱交換器は、第１蓄熱材と熱交換を行う第１熱交換部と、第２蓄熱材と熱交換を行う第２熱交換部とを有する。そして、冷媒方向制御機構は、蓄熱状態と放熱状態との両方において、冷媒が第１熱交換部を流れた後に第２熱交換部を流れるように冷媒の流れを制御する。
【００１０】
この空気調和装置では、融点の異なる第１蓄熱材と第２蓄熱材とを用いることによって、蓄熱材の温度分布の差をより大きくすることができる。これにより、この空気調和装置では、温度効率をより向上させることができる。
【発明の効果】
【００１１】
第１発明に係る空気調和装置では、冷媒方向制御機構によって、冷媒が蓄熱状態と放熱状態とで蓄熱用熱交換器内を同じ方向に流れる。これにより、この空気調和装置では、放熱時において冷媒をより高温に加熱することができ、蓄熱用熱交換器における温度効率を向上させることができる。
第２発明に係る空気調和装置では、四路切換弁によって、蓄熱状態における蓄熱用熱交換器内の冷媒の流れ方向と、放熱状態における蓄熱用熱交換器内の冷媒の流れ方向とが同じ方向となるように冷媒の流れを切り換えることができる。これにより、この空気調和装置では、簡易な構成で、冷媒の流れを制御することができる。
【００１２】
第３発明に係る空気調和装置では、ブリッジ回路によって、蓄熱状態における蓄熱用熱交換器内の冷媒の流れ方向と、放熱状態における蓄熱用熱交換器内の冷媒の流れ方向とが同じ方向となるように冷媒の流れを切り換えることができる。これにより、この空気調和装置では、簡易な構成で、冷媒の流れを制御することができる。
第４発明に係る空気調和装置では、融点の異なる第１蓄熱材と第２蓄熱材とを用いることによって、蓄熱材の温度分布の差をより大きくすることができる。これにより、この空気調和装置では、温度効率をより向上させることができる。
【発明を実施するための最良の形態】
【００１３】
＜第１実施形態＞
〈空気調和装置の構成〉
［冷媒回路の全体構成］
本発明の第１実施形態にかかる空気調和装置１の概略冷媒回路を図１に示す。
この空気調和装置１は、冷房運転および暖房運転のみならずデフロスト運転、暖房兼温蓄熱運転、および暖房兼デフロスト運転も可能な空気調和装置１（冬季などにおいて気温が氷点下となるような寒冷地向けの空気調和装置１）であって、主冷媒回路３ａ、バイパスライン３ｂ、および蓄熱ライン３ｃから構成される冷媒回路を備えている。
【００１４】
主冷媒回路３ａには主に、圧縮機３１１、四路切換弁３１３、室外熱交換器３１２、膨張回路３１４、室内熱交換器３７１、および第１開閉機構ＯＣ１が配備されており、各機器は、冷媒配管を介して接続されている。
バイパスライン３ｂは、一端が四路切換弁３１３と室外熱交換器３１２のガス側とを接続する冷媒配管（以下、第１室外側冷媒ガス配管という）に、他端が第１開閉機構ＯＣ１と室内熱交換器３７１のガス側とを接続する冷媒配管（以下、室内側冷媒ガス配管という）に配管接続されることによって主冷媒回路３ａと接続されている。なお、以下、バイパスライン３ｂと第１室外側冷媒ガス配管との接続点を第１ＢＬ接続点ＢＣ１といい、バイパスライン３ｂと室内側冷媒ガス配管との接続点を第２ＢＬ接続点ＢＣ２という。そして、このバイパスライン３ｂには、第２開閉機構ＯＣ２が配備されている。
【００１５】
蓄熱ライン３ｃは、一端が膨張回路３１４と室内熱交換器３７１の液側とを接続する冷媒配管（以下、室外側冷媒液配管という）に、他端が第１開閉機構ＯＣ１と四路切換弁３１３とを接続する冷媒配管（以下、第２室外側冷媒ガス配管という）に配管接続されることによって主冷媒回路３ａと接続されている。なお、以下、蓄熱ライン３ｃと室外側冷媒液配管との接続点を第１ＨＬ接続点ＨＣ１といい、蓄熱ライン１ｃと第２室外側冷媒ガス配管との接続点を第２ＨＬ接続点ＨＣ２という。そして、この蓄熱ライン３ｃには、冷媒方向制御機構４３、蓄熱用熱交換器４２および第２電動膨張弁ＥＶ２が配備されており、各機器が第２ＨＬ接続点ＨＣ２から第１ＨＬ接続点ＨＣ１に向かって上記の順に冷媒配管を介して接続されている。
【００１６】
また、本実施形態では、空気調和装置１は、分離型の空気調和装置１であって、室内熱交換器３７１、冷媒ガス配管３８１、および冷媒液配管３８２を主に有する室内ユニット３７と、蓄熱用熱交換器４２、蓄熱容器４１、第２電動膨張弁ＥＶ２、第１開閉機構ＯＣ１、第２開閉機構ＯＣ２、第１冷媒ガス配管３５１、第２冷媒ガス配管３５３、冷媒液配管３５２、冷媒方向制御機構４３、蓄熱ガス配管１１、蓄熱液配管１２、蓄熱入口配管１３、蓄熱出口配管１４などを主に有する蓄熱ユニット４と、圧縮機３１１、四路切換弁３１３、室外熱交換器３１２、膨張回路３１４、第１冷媒ガス配管３２１、第２冷媒ガス配管３２３、および冷媒液配管３２２を主に有する室外ユニット３１と、室内ユニット３７の冷媒液配管３８２と蓄熱ユニット４の冷媒液配管３５２とを接続する第１冷媒連絡配管３８７と、室内ユニット３７の冷媒ガス配管３８１と蓄熱ユニット４の冷媒ガス配管３５１とを接続する第２冷媒連絡配管３８６と、蓄熱ユニット４の冷媒液配管３５２と室外ユニット３１の冷媒液配管３２２とを接続する第３冷媒連絡配管３３７と、蓄熱ユニット４の第１冷媒ガス配管３５１と室外ユニット３１の第１冷媒ガス配管３２１とを接続する第４冷媒連絡配管３３６と、蓄熱ユニット４の第２冷媒ガス配管３５３と室外ユニット３１の第２冷媒ガス配管３２３とを接続する第５冷媒連絡配管３３５とから構成されているともいえる。なお、室外ユニット３１の冷媒液配管３２２と第３冷媒連絡配管３３７とは室外ユニット３１の液側閉鎖弁３３３を介して、室外ユニット３１の第１冷媒ガス配管３２１と第４冷媒連絡配管３３６とは室外ユニット３１の第２ガス側閉鎖弁３３２を介して、室外ユニット３１の第２冷媒ガス配管３２３と第５冷媒連絡配管３３５とは室外ユニット３１の第１ガス側閉鎖弁３３１を介してそれぞれ接続されている。
【００１７】
なお、このように本実施形態にかかる空気調和装置１をユニット単位で見た場合、第１ＢＬ接続点ＢＣ１は室外ユニット３１に属し、第２ＢＬ接続点ＢＣ２、第１ＨＬ接続点ＨＣ１、および第２ＨＬ接続点ＨＣ２は蓄熱ユニット４に属する。
［室内ユニットの構成］
室内ユニット３７は、主に、室内熱交換器３７１、室内ファン（図示せず）、冷媒ガス配管３８１、および冷媒液配管３８２を有している。
【００１８】
室内熱交換器３７１は、空調室内の空気である室内空気と冷媒との間で熱交換をさせるための熱交換器である。
室内ファンは、室内ユニット３７内に空調室内の空気を取り込み、室内熱交換器３７１を介して冷媒と熱交換した後の空気である調和空気を再び空調室内への送り出すためファンである。
【００１９】
そして、この室内ユニット３７は、このような構成を採用することによって、冷房運転時には室内ファンにより内部に取り込んだ室内空気と室内熱交換器３７１を流れる液冷媒とを熱交換させて調和空気（冷気）を生成し、暖房運転時、暖房兼温蓄熱運転時、および暖房兼デフロスト運転時には室内ファンにより内部に取り込んだ室内空気と室内熱交換器３７１を流れるガス冷媒とを熱交換させて調和空気（暖気）を生成することが可能となっている。
【００２０】
［蓄熱ユニットの構成］
蓄熱ユニット４は、主に、蓄熱容器４１、蓄熱材４４、冷媒方向制御機構４３、蓄熱用熱交換器４２、第２電動膨張弁ＥＶ２、第１開閉機構ＯＣ１、第２開閉機構ＯＣ２、第１冷媒ガス配管３５１、第２冷媒ガス配管３５３、冷媒液配管３５２、蓄熱ガス配管１１、蓄熱液配管１２、蓄熱入口配管１３および蓄熱出口配管１４を有している。
【００２１】
蓄熱容器４１は、冷媒との間で熱交換を行う蓄熱材４４を収容する。蓄熱材４４は、例えば、ポリエチレングリコール、トレイトール、パラフィン、酢酸ナトリウム３水和物、硫酸ナトリウム１０水和物などであり、冷媒と熱交換することによって固体・液体間で相変化する。
冷媒方向制御機構４３は、暖房兼温蓄熱運転（蓄熱状態）における蓄熱用熱交換器４２内の冷媒の流れ方向と、暖房兼デフロスト運転（放熱状態）における蓄熱用熱交換器４２内の冷媒の流れ方向とが同じ方向となるように冷媒の流れを制御する回路であり、蓄熱四路切換弁４５を有する。蓄熱四路切換弁４５は、蓄熱ガス配管１１、蓄熱液配管１２、蓄熱入口配管１３および蓄熱出口配管１４と接続されており、各配管１１−１４の接続を切り換えて冷媒の流れを切り換える。蓄熱ガス配管１１は、第２ＨＬ接続点ＨＣ２に接続される配管である。蓄熱液配管１２は、第２電動膨張弁ＥＶ２に接続される配管である。蓄熱入口配管１３は、蓄熱用熱交換器４２の冷媒入口に接続される配管である。蓄熱出口配管１４は、蓄熱用熱交換器４２の冷媒出口に接続される配管である。蓄熱四路切換弁４５は、第１状態（図１の実線の状態）と第２状態（図１の破線の状態）とに切り換わる。第１状態においては、蓄熱ガス配管１１と蓄熱入口配管１３とが接続され、蓄熱出口配管１４と蓄熱液配管１２とが接続される。第２状態においては、蓄熱液配管１２と蓄熱入口配管１３とが接続され、蓄熱出口配管１４と蓄熱ガス配管１１とが接続される。蓄熱四路切換弁４５は、第１状態と第２状態とのいずれかに切り換わることによって、暖房兼温蓄熱運転における冷媒の流れと、暖房兼デフロスト運転における冷媒の流れとを切り換える。
【００２２】
蓄熱用熱交換器４２は、蓄熱容器４１に蓄えられている蓄熱材４４と冷媒との間で熱交換をさせるための熱交換器であり、蓄熱容器４１内に設けられる。
第１開閉機構ＯＣ１は、開閉可能な第１電磁弁ＳＶ１および第１逆止弁３６１を有している。この第１開閉機構ＯＣ１では、第１電磁弁ＳＶ１と第１逆止弁３６１とが冷媒流れに対して並列に配置される。また、この第１逆止弁３６１は、各ユニット３１，３４，３７が接続された状態において第２ガス側閉鎖弁３３２から第２ＢＬ接続点ＢＣ２に向かう冷媒の流れのみを許容するように取り付けられている。
【００２３】
第２開閉機構ＯＣ２は、開閉可能な第２電磁弁ＳＶ２および第２逆止弁３６２を有している。この第２開閉機構ＯＣ２では、第２電磁弁ＳＶ２と第２逆止弁３６２とが冷媒流れに対して直列に配置される。なお、この際、第２電磁弁ＳＶ２は第１ＢＬ接続点側に、第２逆止弁３６２は第２ＢＬ接続点側に配置される。また、この第２逆止弁３６２は、各ユニット３１，４，３７が接続された状態において第１ガス側閉鎖弁３３１から第２ＢＬ接続点ＢＣ２に向かう冷媒の流れのみを許容するように取り付けられている。
【００２４】
そして、この蓄熱ユニット４は、このような構成を採用することによって、暖房兼温蓄熱運転時には蓄熱用熱交換器４２を流れるガス冷媒の温熱を蓄熱材４４に蓄積させ、暖房兼デフロスト運転時には蓄熱用熱交換器４２を流れる液冷媒に蓄熱材４４に蓄積される温熱を供給することによってその液冷媒を蒸発させることが可能となっている。なお、この蓄熱材４４は、融点がおよそ３０℃から４０℃であり、潜熱として温熱を蓄積することが可能となっている。
【００２５】
［室外ユニットの構成］
室外ユニット３１は、主に、四路切換弁３１３、圧縮機３１１、室外熱交換器３１２、膨張回路３１４、第１冷媒ガス配管３２１、第２冷媒ガス配管３２３、および冷媒液配管３２２を有している。
圧縮機３１１は、吸入管３２５を流れる低圧のガス冷媒を吸入して圧縮した後、吐出管３２６に吐出するための機器である。本実施形態において、圧縮機３１１は、スクロール式やロータリ式等の容積式の圧縮機である。
【００２６】
四路切換弁３１３は、各運転に対応して、冷媒の流れ方向を切り換えるための弁であり、冷房運転時、デフロスト運転時、および暖房兼デフロスト運転時には圧縮機３１１の吐出管３２６と室外熱交換器３１２のガス側とを接続するとともに圧縮機３１１の吸入管３２５と第２ガス側閉鎖弁３３２とを介して接続し、暖房運転時および暖房兼温蓄熱運転時には圧縮機３１１の吐出管３２６と第２ガス側閉鎖弁３３２とを接続するとともに圧縮機３１１の吸入管３２５と室外熱交換器３１２のガス側とを接続することが可能である。
【００２７】
室外熱交換器３１２は、冷房運転時において、圧縮機３１１から吐出された高圧のガス冷媒を空調室外の空気を熱源として凝縮させることが可能であり、暖房運転時には室内熱交換器３７１から戻る液冷媒を、暖房兼温蓄熱運転時には室内熱交換器３７１および蓄熱用熱交換器４２から戻る液冷媒を蒸発させることが可能である。
膨張回路３１４は、液側閉鎖弁３３３と室外熱交換器３１２との間に接続され、室内熱交換器３７１と室外熱交換器３１２との間を流れる冷媒を減圧するための回路であり、ブリッジ回路７３と、ブリッジ回路７３に接続される連絡回路７５とから構成されている。ブリッジ回路７３は、本実施形態において、４つの逆止弁７４ａ〜７４ｄから構成されており、冷房運転時、デフロスト運転時、および暖房兼デフロスト運転時には、室外熱交換器３１２側からの冷媒を連絡回路７５に流入させた後、液側閉鎖弁３３３側に流通させることが可能であり、暖房運転時および暖房兼温蓄熱運転時には、液側閉鎖弁３３３側からの冷媒を連絡回路７５に流入させた後、室外熱交換器３１２側に流通させることが可能である。また、連絡回路７５には、液冷媒を一時的に溜めることが可能なレシーバ７１と、弁開度の調節が可能な第１電動膨張弁ＥＶ１とが配備されている。
【００２８】
〈空気調和装置の動作〉
空気調和装置１の運転動作について、図１および図２を用いて説明する。この空気調和装置１は、上述したように冷房運転、暖房運転、暖房兼温蓄熱運転、デフロスト運転、および暖房兼デフロスト運転を行うことが可能である。
［冷房運転］
冷房運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室内熱交換器３７１のガス側における冷媒の温度から室内熱交換器３７１の液側における冷媒の温度を引いた差分が一定の正の値（例えば、＋５℃）となるように調節される。また、第１電磁弁ＳＶ１はＯＮされて開状態とされ、第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。
【００２９】
この冷媒回路の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２において凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【００３０】
そして、室内熱交換器３７１に供給された液冷媒は、室内熱交換器３７１において室内空気を冷却するとともに蒸発されてガス冷媒となる。このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。このようにして、冷房運転が行われる。
【００３１】
［暖房運転］
暖房運転時は、四路切換弁３１３が図１の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は全閉状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２は、ＯＦＦされて閉状態とされる（図２参照）。そして、液側閉鎖弁３３３、第１ガス側閉鎖弁３３１、および第２ガス側閉鎖弁３３２は開状態とされる。
【００３２】
この冷媒回路の状態で、圧縮機３１１を起動すると、ガス冷媒が、圧縮機３１１に吸入されて圧縮された後、吐出管３２６、四路切換弁３１３、第２ガス側閉鎖弁３３２、第２ＨＬ接続点ＨＣ２、第１逆止弁３６１、および第２ＢＬ接続点ＢＣ２を経由して、室内熱交換器３７１に供給される。
そして、そのガス冷媒は、室内熱交換器３７１において室内空気を加熱するとともに凝縮されて液冷媒となる。この液冷媒は、第１ＨＬ接続点ＨＣ１および液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【００３３】
［暖房兼温蓄熱運転］
暖房兼温蓄熱運転時は、四路切換弁３１３が図１の破線で示される状態、すなわち、圧縮機３１１の吐出側が第２ガス側閉鎖弁３３２に接続され、かつ、圧縮機３１１の吸入側が室外熱交換器３１２のガス側に接続された状態となっている。また、第１電動膨張弁ＥＶ１はＳＨ制御され、第２電動膨張弁ＥＶ２は所定の開度を維持する状態とされる。なお、第１電動膨張弁ＥＶ１がＳＨ制御されると、第１電動膨張弁ＥＶ１の弁開度が、室外熱交換器３１２のガス側における冷媒の温度から室外熱交換器３１２の液側における冷媒の温度を引いた差分が一定の正の値（例えば、＋５℃）となるように調節される。また、第１電磁弁ＳＶ１および第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。また、蓄熱四路切換弁４５は、第１状態とされる。
【００３４】
この冷媒回路の状態で、圧縮機３１１を起動すると、ガス冷媒が、圧縮機３１１に吸入されて圧縮された後、吐出管３２６、四路切換弁３１３、および第２ガス側閉鎖弁３３２を経由して第２ＨＬ接続点ＨＣ２に至る。そして、第２ＨＬ接続点ＨＣ２に至ったガス冷媒は、その後、第１逆止弁３６１および第２ＢＬ接続点ＢＣ２を経由して室内熱交換器３７１に向かう経路である第１経路と、蓄熱用熱交換器４２に向かう経路である第２経路とに分配される。
【００３５】
第１経路に分配されたガス冷媒は、室内熱交換器３７１において室内空気を加熱するとともに凝縮されて液冷媒となり、第１ＨＬ接続点ＨＣ１に至る。
一方、第２経路に分配されたガス冷媒は、蓄熱ガス配管１１および蓄熱入口配管１３を通り蓄熱用熱交換器４２に流れる。ガス冷媒は、蓄熱用熱交換器４２において蓄熱材４４を加熱するとともに凝縮されて液冷媒となる。この際、蓄熱材４４は、固相から液相に相変化し、ガス冷媒から供給される温熱を主に潜熱として蓄積する。その後、この液冷媒は、蓄熱出口配管１４および蓄熱液配管１２を通り第２電動膨張弁ＥＶ２を経由して第１ＨＬ接続点ＨＣ１に至る。
【００３６】
そして、室内熱交換器３７１から第１ＨＬ接続点ＨＣ１に至った液冷媒と、第２電動膨張弁ＥＶ２を経由して第１ＨＬ接続点ＨＣ１に至った液冷媒とは、第１ＨＬ接続点ＨＣ１において合流した後、液側閉鎖弁３３３を経由して膨張回路３１４に送られる。この膨張回路３１４に送られた液冷媒は、ブリッジ回路７３の逆止弁７４ａを介して、連絡回路７５に送られてレシーバ７１で一時的に溜められる。このレシーバ７１で溜められた液冷媒は、第１電動膨張弁ＥＶ１で減圧された後、ブリッジ回路７３の逆止弁７４ｄを介して、室外熱交換器３１２に送られ、室外熱交換器３１２において蒸発されてガス冷媒となる。このガス冷媒は、第１ＢＬ接続点ＢＣ１、および四路切換弁３１３を経由して、吸入管３２５に戻り、再び、圧縮機３１１に吸入される。このようにして、暖房運転が行われる。
【００３７】
なお、この暖房兼温蓄熱運転は、主に、空気調和装置１の起動時に行われ、その後、自動的に暖房運転に切り替わる。
［デフロスト運転］
デフロスト運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２は全閉状態とされる。また、第１電磁弁ＳＶ１はＯＮされて開状態とされ、第２電磁弁ＳＶ２はＯＦＦされて閉状態とされる（図２参照）。そして、液側閉鎖弁３３３、第１ガス側閉鎖弁３３１、および第２ガス側閉鎖弁３３２は開状態とされる。
【００３８】
この冷媒回路の状態で、圧縮機３１１を起動すると、ガス冷媒が、圧縮機３１１に吸入されて圧縮された後、吐出管３２６、四路切換弁３１３、および第１ＢＬ接続点ＢＣ１を経由して室外熱交換器３１２に送られ、室外熱交換器３１２の外表面に付着している霜を融解するとともに凝縮されて液冷媒となる。
そして、この液冷媒は、膨張回路３１４に送られる。この膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃ、液側閉鎖弁３３３、および第１ＨＬ接続点ＨＣ１を経由して室内熱交換器３７１に供給される。
【００３９】
そして、室内熱交換器３７１に供給された液冷媒は、室内熱交換器３７１の周囲の空気を冷却するとともに蒸発されてガス冷媒となる。なお、この際、空調室内を積極的に冷房しないように、室内ファンが駆動しないように制御される。
そして、このガス冷媒は、第２ＢＬ接続点ＢＣ２、第１電磁弁ＳＶ１、第２ＨＬ接続点ＨＣ２、第２ガス側閉鎖弁３３２、および四路切換弁３１３を経由して、再び、圧縮機３１１に吸入される。
【００４０】
なお、このデフロスト運転は、室外熱交換器３１２の外表面の温度や外気温などのパラメータに基づいて切り換わるようなっている。また、このデフロスト運転は、室内熱交換器３７１に霜が付着しないように、暖房運転などとの間で間欠的に行われる。
［暖房兼デフロスト運転］
暖房兼デフロスト運転時は、四路切換弁３１３が図１の実線で示される状態、すなわち、圧縮機３１１の吐出管３２６が室外熱交換器３１２のガス側に接続され、かつ、圧縮機３１１の吸入管３２５が第２ガス側閉鎖弁３３２側に接続された状態となる。また、第１電動膨張弁ＥＶ１は所定の開度を維持する状態とされ、第２電動膨張弁ＥＶ２はＳＨ制御される。なお、第２電動膨張弁ＥＶ２がＳＨ制御されると、第２電動膨張弁ＥＶ２の弁開度が、蓄熱用熱交換器４２の第２ＨＬ接続点側における冷媒の温度から蓄熱用熱交換器４２の第２電動膨張弁側における冷媒の温度を引いた差分が一定の正の値（例えば、＋５℃）となるように調節される。また、第１電磁弁ＳＶ１はＯＦＦされて閉状態とされ、第２電磁弁ＳＶ２はＯＮされて開状態とされる（図２参照）。そして、液側閉鎖弁３３３、第１ガス側閉鎖弁３３１、および第２ガス側閉鎖弁３３２は開状態とされる。また、蓄熱四路切換弁４５は、第２状態とされる。
【００４１】
この冷媒回路の状態で、圧縮機３１１を起動すると、ガス冷媒が、圧縮機３１１に吸入されて圧縮された後、吐出管３２６および四路切換弁３１３を経由して第１ＢＬ接続点ＢＣ１に至る。そして、第１ＢＬ接続点ＢＣ１に至ったガス冷媒は、その後、第１ガス側閉鎖弁３３１、第２開閉機構ＯＣ２、および第２ＢＬ接続点ＢＣ２を経由して室内熱交換器３７１に向かう経路である第３経路と、室外熱交換器３１２に向かう経路である第４経路とに分配される。
【００４２】
第３経路に分配されたガス冷媒は、室内熱交換器３７１において室内空気を加熱するとともに凝縮されて液冷媒となり、第１ＨＬ接続点ＨＣ１に至る。
一方、第４経路に分配されたガス冷媒は、室外熱交換器３１２の外表面に付着している霜を融解するとともに凝縮されて液冷媒となった後、膨張回路３１４に送られる。膨張回路３１４に送られた液冷媒は、ブリッジ回路７３の逆止弁７４ｂを介して連絡回路７５に送られて、レシーバ７１で一時的に溜められる。このレシーバ７１で溜められた液冷媒は、第１電動膨張弁ＥＶ１で減圧された後、ブリッジ回路７３の逆止弁７４ｃおよび液側閉鎖弁３３３を経由して第１ＨＬ接続点ＨＣ１に至る。
【００４３】
そして、室内熱交換器３７１から第１ＨＬ接続点ＨＣ１に至った液冷媒と、ブリッジ回路７３の逆止弁７４ｃおよび液側閉鎖弁３３３を経由して第１ＨＬ接続点ＨＣ１に至った液冷媒とは、第１ＨＬ接続点ＨＣ１において合流し、第２電動膨張弁ＥＶ２で減圧された後、蓄熱液配管１２および蓄熱入口配管１３を通り蓄熱用熱交換器４２に送られ、蓄熱用熱交換器４２に流れる。これにより、冷媒は、蓄熱用熱交換器４２において温熱を蓄積している蓄熱材４４によって蒸発されてガス冷媒となる。その後、このガス冷媒は、蓄熱出口配管１４および蓄熱ガス配管１１を通り、第２ＨＬ接続点ＨＣ２、第２ガス側閉鎖弁３３２、および四路切換弁３１３を経由して、吸入管３２５に戻り、再び、圧縮機３１１に吸入される。
【００４４】
なお、この暖房兼デフロスト運転は、室外熱交換器３１２の外表面の温度や外気温などのパラメータに基づいて切り換わるようなっている。また、このデフロスト運転は、所定時間（例えば、１０分間）継続して行われる。
〈空気調和装置の特徴〉
この空気調和装置１では、暖房兼温蓄熱運転においては、圧縮機３１１から吐出されたガス冷媒が、蓄熱ガス配管１１から蓄熱入口配管１３を通り蓄熱用熱交換器４２に流れる。そして、蓄熱用熱交換器４２で凝縮した液冷媒は、蓄熱出口配管１４を通り蓄熱液配管１２へ流れる。従って、蓄熱用熱交換器４２においては、蓄熱ガス配管１１に接続される冷媒入口側が高温域となり蓄熱液配管１２に接続される冷媒出口側が低温域となる温度分布が形成される。このため、蓄熱用熱交換器４２によって熱交換が行われる蓄熱材４４においては、冷媒入口に近い側が高蓄熱部となり、冷媒出口に近い側が低蓄熱部となる。次に、このような状態において、暖房兼デフロスト運転が行われると、第２電動膨張弁ＥＶ２によって減圧された液冷媒は、蓄熱液配管１２から蓄熱入口配管１３を通り蓄熱用熱交換器４２に流れる。そして、蓄熱用熱交換器４２で蒸発したガス冷媒は、蓄熱出口配管１４を通り蓄熱ガス配管１１へ流れる。このため、蓄熱用熱交換器４２を流れる冷媒は、まず、蓄熱材４４の高蓄熱部と熱交換を行い、その後、低蓄熱部と熱交換を行う。冷媒を用いて蓄熱材と熱交換を行う蓄熱用熱交換器においては、蓄熱材の入口側の部分が出口側の部分よりも高温であるほうが温度効率がよい。すなわち、冷媒の場合は潜熱交換が行われるため、固体と液体との二相域では蓄熱材との熱交換において冷媒の温度は基本的に変化せず、逆に冷媒が蓄熱用熱交換器を通過することによる圧力損失によって下流側ほど冷媒の温度は低下する（図３参照）。従って、この空気調和装置１では、上記のように暖房兼温蓄熱運転と暖房兼デフロスト運転とにおいて蓄熱用熱交換器４２内に同じ方向に冷媒を流すことによって、冷媒をより高温に加熱することができる。これにより、この空気調和装置１では、蓄熱材４４との温度効率が向上しており、蓄熱能力・放熱能力が向上している。また、蓄熱能力・放熱能力の向上により、蓄熱ユニットの小型化が可能となっている。
【００４５】
なお、このような温度効率向上の効果は、本実施形態にかかる空気調和装置１のように冷媒を媒体とした蓄熱ユニット４を備える空気調和装置１において有効であり、冷媒としてはＨＦＣ，ＨＣＦＣ，ＣＦＣ，ＨＣなどを用いることができる。
＜第２実施形態＞
〈空気調和装置の構成〉
本発明の第２実施形態にかかる空気調和装置２の冷媒回路図を図４に示す。この空気調和装置２では、蓄熱ユニット５の冷媒方向制御機構４６が、ブリッジ回路４７を有する。このブリッジ回路４７は、４つの逆止弁４７ａ−４７ｄが組み合わされて構成されたものであり、蓄熱ガス配管１１、蓄熱液配管１２、蓄熱入口配管１３および蓄熱出口配管１４と接続されている。ブリッジ回路４７は、暖房兼温蓄熱運転においては、蓄熱ガス配管１１からの冷媒を蓄熱入口配管１３に流入させ、蓄熱出口配管１４からの冷媒を蓄熱液配管１２に流入させることができる。また、ブリッジ回路４７は、暖房兼デフロスト運転においては、蓄熱液配管１２からの冷媒を蓄熱入口配管１３に流入させ、蓄熱出口配管１４からの冷媒を蓄熱ガス配管１１へと流入させることができる。このように、ブリッジ回路４７は、暖房兼温蓄熱運転における冷媒の流れと暖房兼デフロスト運転における冷媒の流れとを切り換えることができ、暖房兼温蓄熱運転における蓄熱用熱交換器４２内の冷媒の流れ方向と、暖房兼デフロスト運転における蓄熱用熱交換器４２内の冷媒の流れ方向とが同じ方向となるように冷媒の流れを制御することができる。
【００４６】
他の構成については、第１実施形態にかかる空気調和装置１と同様である。
〈空気調和装置の特徴〉
この空気調和装置２においても、第１実施形態にかかる空気調和装置１と同様に、暖房兼温蓄熱運転における蓄熱用熱交換器４２を流れる冷媒の方向と、暖房兼デフロスト運転における蓄熱用熱交換器４２を流れる冷媒の方向が同じである。これにより、この空気調和装置２では、蓄熱材４４との温度効率が向上している。
【００４７】
＜第３実施形態＞
〈空気調和装置の構成〉
本発明の第３実施形態にかかる空気調和装置３を図５に示す。
この空気調和装置３では、蓄熱ユニット６は、蓄熱材４８、蓄熱容器４９、蓄熱用熱交換器５０を有する。
【００４８】
蓄熱材４８は、融点が異なる第１蓄熱材４８ａと第２蓄熱材４８ｂとを有しており、第２蓄熱材４８ｂは、第１蓄熱材４８ａよりも融点が低い。すなわち、第１蓄熱材４８ａは、高融点の蓄熱材であり、第２蓄熱材４８ｂは、低融点の蓄熱材である。第１蓄熱材４８ａとしては、例えば、トレイトール（融点７３℃）や酢酸ナトリウム３水和物（融点５５℃）などが用いられ、第２蓄熱材４８ｂとしては、ポリエチレングリコール（融点３７℃）や硫酸ナトリウム１０水和物（融点３１℃）などが用いられる。
【００４９】
蓄熱容器４９は、第１蓄熱容器４９ａと第２蓄熱容器４９ｂとを有している。第１蓄熱容器４９ａは第１蓄熱材４８ａを収容し、第２蓄熱容器４９ｂは、第２蓄熱材４８ｂを収容する。
蓄熱用熱交換器５０は、直列に接続された第１熱交換部５０ａと第２熱交換部５０ｂとを有する。第１熱交換部５０ａは、第１蓄熱容器４９ａ内に設けられており、第１蓄熱材４８ａと熱交換を行う。第１熱交換部５０ａは、蓄熱入口配管１３と接続されている。第２熱交換部５０ｂは、第２蓄熱容器４９ｂ内に設けられており、第２蓄熱材４８ｂと熱交換を行う。第２熱交換部５０ｂは、蓄熱出口配管１４と接続されている。
【００５０】
他の構成については、第１実施形態にかかる空気調和装置１と同様である。なお、空気調和装置３において、蓄熱四路切換弁４５に代えて、第２実施形態にかかるブリッジ回路４７が備えられてもよい。
〈空気調和装置の特徴〉
この空気調和装置３では、蓄熱四路切換弁４５は、第１実施形態と同様に冷媒の流れを切り換えることによって、暖房兼温蓄熱運転と暖房兼デフロスト運転との両方において冷媒が第１熱交換部５０ａを流れた後に第２熱交換部５０ｂを流れるように冷媒の流れを切り換える。すなわち、暖房兼温蓄熱運転においては、圧縮機３１１から吐出されたガス冷媒が、蓄熱ガス配管１１から蓄熱入口配管１３を通り第１熱交換部５０ａに流れる。第１熱交換部５０ａを流れた冷媒は、その後、第２熱交換部５０ｂを流れ、蓄熱出口配管１４を通り蓄熱液配管１２へ流れる。このように、暖房兼温蓄熱運転においては、冷媒が高融点の第１蓄熱材４８ａと熱交換を行う第１熱交換部５０ａから低融点の第２蓄熱材４８ｂと熱交換を行う第２熱交換部５０ｂの順に流れることによって、積極的に蓄熱材４８に大きな温度分布を生じさせることができる。これによって、高融点の第１蓄熱材４８ａの温度を効率的に上昇させることができる。また、暖房兼デフロスト運転においては、第２電動膨張弁ＥＶ２によって減圧された液冷媒は、蓄熱液配管１２から蓄熱入口配管１３を通り第１熱交換部５０ａに流れる。第１熱交換部５０ａを流れた冷媒は、その後、第２熱交換部５０ｂを流れ、蓄熱出口配管１４を通り蓄熱ガス配管１１へ流れる。このように、暖房兼デフロスト運転においても、冷媒が高融点の第１蓄熱材４８ａと熱交換を行う第１熱交換部５０ａから低融点の第２蓄熱材４８ｂと熱交換を行う第２熱交換部５０ｂの順に流れることによって、温度分布を利用して冷媒をより高温に加熱することができる。このように、この空気調和装置３では、暖房兼温蓄熱運転における蓄熱用熱交換器５０を流れる冷媒の方向と、暖房兼デフロスト運転における蓄熱用熱交換器５０を流れる冷媒の方向が同じであることによって、蓄熱材４８との温度効率が向上している。
【００５１】
また、融点の異なる第１蓄熱材４８ａと第２蓄熱材４８ｂとにそれぞれ蓄熱することができるため、１種類の蓄熱材が使用される場合と比べて、より多くの蓄熱量を確保することができる。
さらに、蓄熱用熱交換器５０の出口側温度をより低下させることができるため、冷媒回路におけるＣＯＰを向上させることができる。
【００５２】
＜他の実施形態＞
上記の実施形態では、暖房兼温蓄熱運転および暖房兼デフロスト運転において蓄熱用熱交換を流れる冷媒の流れ方向が同じとされているが、暖房運転が行われず蓄熱運転のみが行われる蓄熱状態と、蓄熱を利用した暖房のみが行われる蓄熱利用暖房運転または蓄熱を利用したデフロスト運転のみが行われる蓄熱利用デフロスト運転が行われる放熱状態とにおいて、蓄熱用熱交換を流れる冷媒の流れ方向が同じとされてもよい。
【産業上の利用可能性】
【００５３】
本発明は、蓄熱用熱交換器における温度効率を向上させることができる効果を有し、空気調和装置として有用である。
【図面の簡単な説明】
【００５４】
【図１】第１実施形態にかかる空気調和装置の冷媒回路図。
【図２】各運転モードにおける制御内容を示す図。
【図３】蓄熱用熱交換器を流れる冷媒の温度分布のイメージ図。
【図４】第２実施形態にかかる空気調和装置の冷媒回路図
【図５】第３実施形態にかかる空気調和装置の冷媒回路図
【符号の説明】
【００５５】
１−３          空気調和装置
４２，５０      蓄熱用熱交換器
４３，４６      冷媒方向制御機構
４４，４８      蓄熱材
４５            蓄熱四路切換弁（四路切換弁）
４７            ブリッジ回路
４７ａ−４７ｄ  逆止弁
４８ａ          第１蓄熱材
４８ｂ          第２蓄熱材
５０ａ          第１熱交換部
５０ｂ          第２熱交換部
３１２          室外熱交換器（熱源側熱交換器）
３１４          膨張回路（蓄熱・放熱切換機構）
３７１          室内熱交換器（利用側熱交換器）
ＥＶ２          第２電動膨張弁（蓄熱・放熱切換機構）
ＯＣ１          第１開閉機構（蓄熱・放熱切換機構）
ＯＣ２          第２開閉機構（蓄熱・放熱切換機構）
【図１】
2005337667.tif 000003
【図２】
2005337667.tif 000004
【図３】
2005337667.tif 000005
【図４】
2005337667.tif 000006
【図５】
2005337667.tif 000007